(57)【特許請求の範囲】
【請求項１】
圧縮機、室外熱交換器、室外膨張弁を備え、少なくとも暖房運転が可能な空気調和機において、
前記室外熱交換器は複数のパスで構成されており、
前記圧縮機の吐出側と前記室外熱交換器の暖房運転時入口側とを接続するバイパス回路を設け、
前記バイパス回路はバイパス電磁弁を備えると共に、前記室外熱交換器と接続される側にはキャピラリチューブを有する複数の分配管を備え、この複数の分配管は前記室外熱交換器の複数のパスにそれぞれ接続され、
前記複数の分配管に各々設けられたキャピラリチューブの少なくとも１つ以上は他のキャピラリチューブとサイズが異なる
ことを特徴とする空気調和機。
【請求項２】
圧縮機、四方弁、室内熱交換器、室外膨張弁、室外熱交換器を冷媒配管で接続して冷凍サイクルを構成している空気調和機において、
前記室外熱交換器は複数のパスを備えており、前記室内熱交換器からの液冷媒を前記室外膨張弁を通過後複数の分岐管に分岐させて前記室外熱交換器の前記複数のパスにそれぞれ流す構成とし、
前記圧縮機から吐出される高温冷媒の一部を分岐させて前記室外熱交換器の暖房運転時
入口側に流すためのバイパス回路を設け、
このバイパス回路にはバイパス電磁弁を備えると共に、前記室外熱交換器に接続される
側はキャピラリチューブを有する複数の分配管で構成し、この複数の分配管を前記室外熱交換器の各パスにそれぞれ接続し、
前記複数の分配管に各々設けられたキャピラリチューブの少なくとも１つ以上は他のキャピラリチューブとサイズが異なる
ことを特徴とする空気調和機。
【請求項３】
圧縮機、四方弁、室外熱交換器及び室外膨張弁を有する室外機と、室内熱交換器及び室内膨張弁を有する室内機とをガス接続配管及び液接続配管で接続して構成された空気調和機において、
前記室外熱交換器は複数のパスを備えており、暖房運転時、前記室内機からの液冷媒を室外膨張弁通過後、複数の分岐管に分岐させて前記室外熱交換器の前記複数のパスにそれぞれ流す構成とし、
前記圧縮機から吐出される高温冷媒を一部分岐させて前記室外熱交換器の暖房運転時入口側に流すためのバイパス回路を設け、
このバイパス回路にはバイパス電磁弁を備えると共に、前記室外熱交換器に接続される側はキャピラリチューブを有する複数の分配管で構成して、前記室外熱交換器の各パスにそれぞれ接続し、
前記複数の分配管に各々設けられたキャピラリチューブの少なくとも１つ以上は他のキャピラリチューブとサイズが異なる
ことを特徴とする空気調和機。
【請求項４】
請求項１〜３の何れかにおいて、室外熱交換器の複数のパスのそれぞれの流路抵抗に応じて、前記各パスに接続される前記分配管のキャピラリチューブのサイズが決められ、流路抵抗の小さいパスほど、これに接続される分配管のキャピラリチューブのサイズを大きくして流入するバイパス流量が多くなるように構成したことを特徴とする空気調和機。
【請求項５】
請求項１〜４の何れかにおいて、前記室外熱交換器の空気流れに対し上流側に配置されているパスには下流側に配置されているパスよりも、前記バイパス流路から流入するバイパス流量が相対的に多くなるように、前記分配管のキャピラリチューブのサイズが決められていることを特徴とする空気調和機。
【請求項６】
請求項１〜５の何れかにおいて、前記室外熱交換器に着霜している、或いは着霜のおそれがあると判断された場合に、前記バイパス回路のバイパス電磁弁が開かれ、圧縮機吐出側からの高温冷媒の一部が分岐されて前記バイパス回路を介して前記室外熱交換器に流入される構成としていることを特徴とする空気調和機。
【請求項７】
圧縮機、室外熱交換器、室外膨張弁を備え、少なくとも暖房運転が可能な空気調和機において、
前記室外熱交換器は複数のパスで構成されており、
前記圧縮機の吐出側と前記室外熱交換器の暖房運転時入口側とを接続するバイパス回路を設け、
前記バイパス回路はバイパス電磁弁を備えると共に、前記室外熱交換器と接続される側にはキャピラリチューブを有する複数の分配管を備え、この複数の分配管は前記室外熱交換器の複数のパスにそれぞれ接続され、
更に、室外の温度を検出するための温度検出手段と、前記室外熱交換器の温度を検出するための温度検出手段とを備え、これらの温度検出手段で検出された温度に基づいて前記室外熱交換器に着霜のおそれがあるか否かを判断する制御装置を備えている
ことを特徴とする空気調和機。
【請求項８】
請求項７において、前記室外熱交換器の温度を検出するための温度検出手段は、前記室外熱交換器の暖房時冷媒入口側となる部分の温度を検出するものであることを特徴とする空気調和機。
【請求項９】
請求項７または８において、前記制御装置は、前記室外熱交換器に着霜のおそれがあると判定した場合、前記バイパス回路のバイパス電磁弁を開にする制御をし、前記圧縮機の吐出側からの冷媒を、前記バイパス回路を介して前記室外熱交換器に供給することを特徴とする空気調和機。
【発明の詳細な説明】
【技術分野】
【０００１】
本発明は、暖房運転可能な空気調和機に係り、特に除霜運転機能を備えた空気調和機に関する。
【背景技術】
【０００２】
空気調和機の暖房運転では、外気温度の低下に伴い、室外熱交換器の温度も低下するため、外気中の水分が霜となり室外熱交換器に付着する。この状態で暖房運転を続けた場合、熱交換器に着霜した霜が徐々に成長して室外熱交換器の熱交換性能を阻害し、暖房能力が低下する。
【０００３】
暖房能力低下を防止するため、室外熱交換器の着霜を検出し、霜を融かすための運転（以下、除霜運転と呼ぶ）を実施することが一般的である。この除霜運転は、四方弁を切換えることで冷凍サイクルを暖房サイクルから冷房サイクルに切換え、室内機及び室外機の送風機を停止し、圧縮機から吐出される高温高圧のガス冷媒を室外熱交換器に流すことで室外熱交換器に付着した霜を融かすものである。
【０００４】
しかし、除霜運転中は、暖房能力を発揮できないことに加え、室内熱交換器が蒸発器となりその温度が低下するため、除霜運転後の暖房運転において温風が吹き出すまでに時間を要し、室内空間の快適性を低下させ、ユーザーにとって空気調和機に対する不満の一つとなっている。
【０００５】
そこで、例えば特開平１１−１８２９９４号公報（特許文献１）に示された空気調和機に示すものがある。この空気調和機は、圧縮機、四方弁、室内熱交換器、電動膨張弁及び室外熱交換器を冷媒回路で連結してなるヒートポンプ式冷凍サイクルを備え、暖房運転を実施しながら、圧縮機吐出部からの高温冷媒の一部を室外熱交換器へバイパスさせ、前記室外熱交換器に付着した霜を融かすようにしている。
【先行技術文献】
【特許文献】
【０００６】
【特許文献１】特開平１１−１８２９９４号公報
【発明の概要】
【発明が解決しようとする課題】
【０００７】
上記特許文献１に記載の空気調和機のものでは、室外熱交換器のパスが１つであるため、高温冷媒が流入する側に対しては除霜効果が高いが、下流側ほど除霜しにくく、熱交換器全体を効率良く均一に除霜することは困難であった。
【０００８】
また、室外熱交換器を複数に分岐された配管（パス）によって熱交換する室外熱交換器を備えた空気調和機も知られており、このような空気調和機においても、圧縮機吐出側の高温冷媒の一部をバイパスさせて前記室外熱交換器の各パスに流すようにして除霜することも考えられている。しかし、複数のパスを有しているため、パス毎に着霜状態が異なり、また圧縮機吐出側からバイパスさせて室内熱交換器に流入される高温ガス（高温冷媒）の流入量も各パス毎にばらつきが生じてしまうため、特定のパスの霜が融けない等の問題が生じる。また、全てのパスの霜を融かすためには、多量の高温ガスを除霜のためにバイパスさせる必要があり、このため暖房能力も低下し快適性を低下させる課題がある。
【０００９】
本発明の目的は、室外熱交換器の除霜運転を、除霜のための高温ガスのバイパス流量を低減して暖房能力の低下を抑制しつつ、熱交換器全体を効率良く除霜できる空気調和機を得ることにある。
【課題を解決するための手段】
【００１０】
上記目的を達成するため、本発明は、圧縮機、室外熱交換器、室外膨張弁を備え、少なくとも暖房運転が可能な空気調和機において、前記室外熱交換器は複数のパスで構成されており、前記圧縮機の吐出側と前記室外熱交換器の暖房運転時入口側とを接続するバイパス回路を設け、前記バイパス回路はバイパス電磁弁を備えると共に、前記室外熱交換器と接続される側にはキャピラリチューブを有する複数の分配管を備え、この複数の分配管は前記室外熱交換器の複数のパスにそれぞれ接続され、前記複数の分配管に各々設けられたキャピラリチューブの少なくとも１つ以上は他のキャピラリチューブとサイズが異なることを特徴とする。
【００１１】
本発明の他の特徴は、圧縮機、四方弁、室内熱交換器、室外膨張弁、室外熱交換器を冷媒配管で接続して冷凍サイクルを構成している空気調和機において、前記室外熱交換器は複数のパスを備えており、前記室内熱交換器からの液冷媒を前記室外膨張弁を通過後複数の分岐管に分岐させて前記室外熱交換器の前記複数のパスにそれぞれ流す構成とし、前記圧縮機から吐出される高温冷媒の一部を分岐させて前記室外熱交換器の暖房運転時入口側に流すためのバイパス回路を設け、このバイパス回路にはバイパス電磁弁を備えると共に、前記室外熱交換器に接続される側はキャピラリチューブを有する複数の分配管で構成し、この複数の分配管を前記室外熱交換器の各パスにそれぞれ接続し、前記複数の分配管に各々設けられたキャピラリチューブの少なくとも１つ以上は他のキャピラリチューブとサイズが異なる構成としたことにある。
【００１２】
本発明の更に他の特徴は、圧縮機、四方弁、室外熱交換器及び室外膨張弁を有する室外機と、室内熱交換器及び室内膨張弁を有する室内機とをガス接続配管及び液接続配管で接続して構成された空気調和機において、前記室外熱交換器は複数のパスを備えており、暖房運転時、前記室内機からの液冷媒を室外膨張弁通過後、複数の分岐管に分岐させて前記室外熱交換器の前記複数のパスにそれぞれ流す構成とし、前記圧縮機から吐出される高温冷媒を一部分岐させて前記室外熱交換器の暖房運転時入口側に流すためのバイパス回路を設け、このバイパス回路にはバイパス電磁弁を備えると共に、前記室外熱交換器に接続される側はキャピラリチューブを有する複数の分配管で構成して、前記室外熱交換器の各パスにそれぞれ接続し、前記複数の分配管に各々設けられたキャピラリチューブの少なくとも１つ以上は他のキャピラリチューブとサイズが異なる構成としたことにある。
本発明の更に他の特徴は、圧縮機、室外熱交換器、室外膨張弁を備え、少なくとも暖房運転が可能な空気調和機において、前記室外熱交換器は複数のパスで構成されており、前記圧縮機の吐出側と前記室外熱交換器の暖房運転時入口側とを接続するバイパス回路を設け、前記バイパス回路はバイパス電磁弁を備えると共に、前記室外熱交換器と接続される側にはキャピラリチューブを有する複数の分配管を備え、この複数の分配管は前記室外熱交換器の複数のパスにそれぞれ接続され、更に、室外の温度を検出するための温度検出手段と、前記室外熱交換器の温度を検出するための温度検出手段とを備え、これらの温度検出手段で検出された温度に基づいて前記室外熱交換器に着霜のおそれがあるか否かを判断する制御装置を備えていることにある。
【発明の効果】
【００１３】
本発明によれば、室内熱交換器の除霜運転を、除霜のための高温ガスのバイパス流量を低減して暖房能力の低下を抑制しつつ、熱交換器全体を効率良く除霜できる空気調和機を得ることができる。
【図面の簡単な説明】
【００１４】
【図１】本発明の空気調和機の実施例１を示す冷凍サイクル構成図で、主に室外機側を示す図。
【図２】本発明の実施例１における除霜運転制御を説明するフローチャート。
【発明を実施するための形態】
【００１５】
以下、本発明の空気調和機の実施例を、図面を用いて説明する。  
【実施例１】
【００１６】
図１は本発明の空気調和機の実施例１を示す冷凍サイクル構成図で、空気調和機５０の主に室外機５１側を示している。図において、１は圧縮機、２は四方弁、３は室外熱交換器、４は室外膨張弁、１１はガス阻止弁、１２は液阻止弁、５３は室内機（図示せず）側と接続されるガス接続配管、５４は同じく液接続配管である。
【００１７】
暖房運転時には、圧縮機１から吐出された高温高圧のガス冷媒は、実線矢印で示すように、四方弁２、ガス阻止弁１１、ガス接続配管５３を通り、室内機に至り、凝縮されて液冷媒となる。この液冷媒は、通常全開状態の室内膨張弁（図示せず）を通過後、液接続配管５４及び液阻止弁１２を通って室外膨張弁４に至り、この室外膨張弁４により減圧されて低温低圧のガス液混合冷媒となる。この減圧された冷媒は、室外熱交換器３により蒸発され、ガス冷媒となり再び四方弁２を経由して圧縮機１に戻される。
【００１８】
前記室外熱交換器３は、本実施例では５つのパスで構成され、室外膨張弁４通過後の冷媒は、分配器２０で５本の分岐管２１に分配されて室外熱交換器３の５つのパスにそれぞれ流入する。冷媒は室外熱交換器３で蒸発され、ヘッダ２２で各パスからの冷媒が集合して四方弁２側に流れる。
【００１９】
１７は圧縮機の吐出側と四方弁２との間の冷媒配管から分岐され、室外熱交換器３と室外膨張弁４との間の冷媒配管に接続されるバイパス回路で、このバイパス回路１７にはバイパス電磁弁６が設けられている。暖房運転時に、室外熱交換器３の除霜が必要になった場合や、着霜し易い状態となった場合、前記パイパス電磁弁６が開かれ、圧縮機から吐出された高温高圧のガス冷媒（高温冷媒）の一部はバイパス回路１７に流入し、バイパス電磁弁６を通過後、キャピラリチューブ１９を有する５本の分配管１０に分岐されて前記５本の分岐管２１にそれぞれ接続され、室外熱交換器３のそれぞれのパスに流入する構成となっている。キャピラリチューブ１９は高温高圧のガス冷媒を減圧すると共に、室外熱交換器３の各パスへ流入するガス流量を適正な流量に調整するためのものである。
【００２０】
前記室外熱交換器３は、狭い間隔で並置された多数枚のプレート状フィンと、これらのフィンを貫通する蛇行状の冷媒パイプとで構成されているプレートフィン型熱交換器を用いており、前記冷媒パイプ内を流れる冷媒と室外ファン２３により通風される外気（室外空気）とが熱交換される。
【００２１】
前記室外膨張弁４は、冷凍サイクルの主回路を流れる冷媒の減圧を行うもので、電子式膨張弁で構成され、前記液阻止弁１２と前記分配器２０との間に設置されている。
【００２２】
前記圧縮機１は、その運転周波数がインバータで可変して制御される容量可変式圧縮機で構成されている。前記四方弁２は、この圧縮機１から吐出された冷媒の流れ方向及び圧縮機１へ吸い込まれる冷媒の流れ方向を切換える弁で、この四方弁２は、制御装置１６により、暖房運転時に実線に示す流路を形成し、冷房運転時に点線で示す流路を形成するように制御される。
【００２３】
前記制御装置１６は、室外操作スイッチ等と共に室外機の制御基板上に搭載され、空気調和機５０を構成する各機器の制御を行うものである。
【００２４】
なお、２４は室外の温度を検出するためのサーミスタ（温度検出手段）で、前記室外熱交換器３の上流側に設置されている。２５は暖房時に室外熱交換器３の冷媒入口側となる部分の温度を検出するサーミスタ（温度検出手段）で、前記冷媒パイプやプレート状のフィンなどに設置されている。
【００２５】
次に、空気調和機５０の冷凍サイクルの基本動作について説明する。  
暖房運転には、前述したように、圧縮機１からの高温高圧ガス冷媒は、実線矢印に示すように、四方弁２、ガス阻止弁１１、ガス接続配管５３を経由して室内機に入り、凝縮されて液冷媒となる。この液冷媒は、開状態の室内膨張弁８、液接続配管５４及び液阻止弁１２を経由し、室外膨張弁４で減圧されて低温低圧のガス液混合冷媒となり、この減圧された冷媒は、室外熱交換器３で蒸発してガス冷媒となり圧縮機１に戻る。
【００２６】
この暖房運転中に、バイパス回路１７のバイパス電磁弁６を開とすることにより、圧縮機１から吐出されたガス冷媒の一部は、前記四方弁２への流れと分岐し、前記バイパス電磁弁６を通過後、キャピラリチューブ１９を有する前記複数の分配管１０に分配されて流入する。各分配管１０を通過した冷媒は、その後、室外膨張弁４を通過して減圧され分配器で複数の分岐管２１に分配されて室外熱交換器３に流入する主流側の冷媒と合流され、室外熱交換器３に流入される。これにより、吐出ガス冷媒の一部をバイパスさせない場合（バイパス電磁弁６を閉とした場合）と比較し、室外熱交換器３の温度を上昇させることができ、着霜するのを防止できるか、着霜している場合にはそれを除霜できる。
【００２７】
本実施例のように、バイパス回路１７からの冷媒を、キャピラリチューブを有する複数の分配管１０に分配することにより、室外熱交換器３のそれぞれのパスに均一に冷媒を分配することが可能となり、室外熱交換器３全体を均一に除霜したり、均一な温度分布にして着想するのを防止することができる。
【００２８】
空気調和機の冷房運転時には、圧縮機１から吐出されたガス冷媒は、点線矢印に示すように、四方弁２を経由して室外熱交換器３に流れ、該室外熱交換器３により凝縮されて液冷媒となる。この液冷媒は、全開状態の室外膨張弁４、液阻止弁１２及び液接続配管５４を通って室内機に流れ、室内機の室内膨張弁で減圧されて低圧のガス液混合冷媒となる。この減圧された冷媒は、室内機の室内熱交換器で蒸発され、ガス冷媒となって圧縮機１に戻される。  
なお、冷房運転中は、バイパス電磁弁６は常に閉じられ、バイパス回路１７は使用されない。
【００２９】
本実施例は、圧縮機１の吐出側から室外熱交換器３と室外膨張弁４との間に連結するバイパス回路１７を備え、このバイパス回路を、キャピラリチューブ１９を有する複数の分配管１０に分配して室外熱交換器３に流すように構成しているので、室外熱交換器３の温度が低下し、室外熱交換器３に着霜のおそれがある場合には、バイパス回路１７を開として圧縮機１からの高温高圧の冷媒を、前記複数の分配管１０を介して室外熱交換器３の各パスに適正量に分配して供給できる。即ち、本実施例では、前記各分配管１０にキャピラリチューブ１９を備えているので、このキャピラリチューブのサイズ（キャピラリチューブの配管径や長さ）を調整することで、室外熱交換器の各パスに最適なバイパス流量を流すことが可能になる。即ち、複数のパスを有する熱交換器では、冷媒が流れやすいパスや流れにくいパスが生じてしまい、各パスに均一に冷媒を流すことは困難である。パス毎に冷媒配管のサイズを変えることで各パスにできるだけ均一に冷媒を流すようにすることも考えられるが、配管サイズの調整では大まかな調整ができるだけであり、各パスに均一に冷媒を流すことはやはり困難である。このため着霜し易いパスや、着霜し難いパスができてしまうことは回避困難であった。
【００３０】
本実施例では、パイパス回路１７の各分配管１０にキャピラリチューブ１９を備える構成とし、このキャピラリチューブのサイズを調整することで、室外熱交換器の着霜し易いパス、着霜し難いパスに対し、その着霜し易さに応じてキャピラリチューブのサイズを調整し、着霜し易いパスにはより多くの流量を流し、着霜し難いパスにはバイパス流量が少なくなるように、各パスに最適なバイパス流量を流すことを可能にしたものである。キャピラリチューブのサイズは非常に木目細かく多数のサイズが市販されていること、また減圧しながら流量を調整することで、各パスへのバイパス流量を木目細かく調整することが容易に可能になる。従って、より少ない或いは必要最小限のバイパス流量で室外熱交換器全体を均一に除霜でき、或いは着霜を回避できる均一な温度にする（室外熱交換器３の温度の低下を防止して着霜を回避する）ことができる。
【００３１】
なお、室外熱交換器３は設計製造されると、複数のパスを有する熱交換器では、冷媒が流れやすいパスや流れにくいパスが決まるので、予め実験により、各パス毎の流量（或いは流路抵抗）を求めておく。同じ設計で製造された室外熱交換器であれば、各パス毎の流量は同じ傾向となるから、バイパス回路１７の各分配管１０に設置するキャピラリチューブ１９のサイズを決定することができる。
【００３２】
また、室外熱交換器における着霜のし易さは、パス毎の流量の他に、パスの位置によっても異なる。即ち、室外熱交換器３における空気流れに対し上流側（空気吸込側）にはより湿度の高い外気が流入し、下流側になるほど除湿されて湿度が低下するので、上流側に配置されたパスには着霜し易く、下流側に配置されたパスには着霜し難いという傾向がある。従って、上流側のパスにはより多くのバイパス流量を流し、下流側には少なめのバイパス流量となるように前記キャピラリチューブ１９のサイズを選択すると良い。
【００３３】
次に、図１に示す実施例の制御装置１６における除霜運転制御を図２に示すフローチャートで説明する。  
まず、前記サーミスタ２５で室外熱交換器温度を検出し、前記サーミスタ２４で外気温度を検出する（ステップＳ１）。次に、ステップＳ２では、前記ステップＳ１で検出した温度に基づいて室外熱交換器３に着霜のおそれがあるか否かを判断する。例えば、前記サーミスタ２４で検出された外気温度が５℃以上で、且つ前記サーミスタ２５で検出された室外熱交換器３の温度が０℃以下の場合であれば着霜のおそれがあると判断する。
【００３４】
着霜のおそれがあると判断された場合にはステップＳ３に移り、バイパス電磁弁６が開となっていなければ、バイパス電磁弁６を開き（ステップＳ４）、圧縮機吐出側の高温高圧冷媒の一部をバイパス回路１７に導入して室外熱交換器３に流入させる。これにより、室外熱交換器３の温度を上昇させ、着霜していればそれを除霜し、着霜のおそれがある場合には着霜を回避することができる。ステップＳ４の処理後は、前記ステップＳ１に戻る。
【００３５】
ステップＳ１では再び室外熱交換器の温度と外気温度をサーミスタ２４，２５で検出し、ステップＳ２で依然として着霜のおそれありと判断された場合にはステップＳ３に移り、バイパス電磁弁６は開弁状態であるので、ステップＳ１に戻る。  
前記ステップＳ２で着霜のおそれがないと判断された場合、ステップＳ５に移り、バイパス電磁弁６が閉じていればステップＳ１に戻り、バイパス電磁弁６が開いている場合にはステップＳ６に移る。ステップＳ６では室外熱交換器３が着霜しておらず、また着霜のおそれもない温度になっているかどうかを判断する。この例では、室外熱交換器３の温度が２℃以上になっていれば着霜のおそれがないと判断してバイパス電磁弁６を閉じ（ステップＳ７）、バイパス回路１７から高温高圧冷媒を室外熱交換器３に導入することを停止し、空気調和機５０は通常運転に戻る。  
以下同様の動作を繰り返すように制御装置１６は制御される。
【００３６】
なお、本実施例における好ましい具体例を述べると以下の通りである。
（１）前記複数の分配管に各々設けられたキャピラリチューブの少なくとも１つ以上は他のキャピラリチューブとサイズが異なる構成とすることで、室外熱交換器の各パスに除霜のため最小限の適切な量の高温ガスを供給できる。
（２）室外熱交換器の複数のパスのそれぞれの流路抵抗に応じて、前記各パスに接続される前記分配管のキャピラリチューブのサイズが決められ、流路抵抗の小さいパスほど、これに接続される分配管のキャピラリチューブのサイズを大きくして流入するバイパス流量が多くなるように構成する。即ち、流路抵抗の小さいパスには多くの冷媒が流れるため、着霜し易くなるから、より多くの高温ガスをバイパス回路から流入させることで、全体として均一な除霜が可能になる。
（３）前記室外熱交換器の空気流れに対し上流側に配置されているパスには下流側に配置されているパスよりも、前記バイパス流路から流入するバイパス流量が相対的に多くなるように、前記分配管のキャピラリチューブのサイズを決める。
（４）前記室外熱交換器に着霜している、或いは着霜のおそれがあると判断された場合に、前記バイパス回路のバイパス電磁弁が開かれ、圧縮機吐出側からの高温冷媒の一部が分岐されて前記バイパス回路を介して前記室外熱交換器に流入される構成とする。
（５）室外の温度を検出するための温度検出手段と、前記室外熱交換器の温度を検出するための温度検出手段とを備え、これらの温度検出手段で検出された温度に基づいて前記室外熱交換器に着霜のおそれがあるか否かを判断する制御装置を備えていること。
（６）前記室外熱交換器の温度を検出するための温度検出手段は、前記室外熱交換器の暖房時冷媒入口側となる部分の温度を検出するものであること。
（７）前記制御装置は、前記室外熱交換器に着霜のおそれがあると判定した場合、前記バイパス回路のバイパス電磁弁を開にする制御をし、前記圧縮機の吐出側からの冷媒を、前記パイパス回路を介して前記室外熱交換器に供給すること。
【００３７】
以上説明した本実施例によれば、バイパス回路にキャピラリチューブを有する複数の分配管を有しているので、室外熱交換器の各パスへのバイパス量を適正に調整でき、室外熱交換器に付着した霜を均一に融かして除霜性能を向上させることができる。また、本実施例によれば、除霜運転を入れながら継続的な暖房運転が可能となり、室内空間の快適性を確保できる空気調和機が得られる。更に、前記各パスへの高温ガスのバイパス量をキャピラリチューブで最適に調整できるので、高温ガスのバイパス量を必要最小限にでき、バイパス電磁弁が開の除霜運転状態のときでも暖房能力低下を抑制することができる。
【符号の説明】
【００３８】
１…圧縮機
２…四方弁
３…室外熱交換器
４…室外膨張弁
６…バイパス電磁弁
１０…分配管
１１…ガス阻止弁
１２…液阻止弁
１６…制御装置
１７…バイパス回路
１９…キャピラリチューブ
２０…分配器
２１…分岐管
２２…ヘッダ
２３…室外ファン
２４，２５…サーミスタ（温度検出手段）
５０…空気調和機
５１…室外機
５３…ガス接続配管
５４…液接続配管。
【図１】
0005404489.tif 000002
【図２】
0005404489.tif 000003